(57)【要約】【課題】輝度斑をできるだけ解消して、均一な光で文字板を背後から照明する。【解決手段】正面の文字板と、文字板の背面に配置された拡散反射板との間に配される正面視円弧形状の導光板１０において、文字板に対面する正面１０Ａに、円弧形状の周方向に沿って延在し且つ円弧形状の半径方向に間隔をおいて形成された多数の円弧状溝１１を有すると共に、拡散反射板に対面する背面１０Ｂに、円弧形状の半径方向に沿って放射状に延在し且つ円弧形状の周方向に間隔をおいて形成された多数の放射状凸条１２を有する。放射状凸条の形成された間隔は、入光端１８から遠くなるほど漸次小さくなるように設定されている。【選択図】図３
2014238975.tif 000002
【特許請求の範囲】
【請求項１】
正面の文字板と、該文字板の背面に配置された拡散反射板との間に、それぞれ前記文字板及び前記拡散反射板との間に空気層を介して配置され、周方向の端面から入射された光源からの光を、前記文字板を背面から照らすように導く正面視円弧形状の光透過性の導光板であって、
前記文字板に対面する正面に、前記円弧形状の周方向に沿って延在し且つ前記円弧形状の半径方向に間隔をおいて形成された多数の円弧状溝を有すると共に、前記拡散反射板に対面する背面に、前記円弧形状の半径方向に沿って放射状に延在し且つ前記円弧形状の周方向に間隔をおいて形成された多数の放射状凸条を有することを特徴とする導光板。
【請求項２】
前記放射状凸条の形成された間隔が、前記光源からの光の入射される端面より遠くなるほど漸次小さくなるように設定されていることを特徴とする請求項１に記載の導光板。
【請求項３】
請求項１又は２に記載の導光板が、前記文字板と前記拡散反射板との間に、それぞれ前記文字板及び前記拡散反射板との間に空気層を介して配置された計器であって、
互いに対向する前記導光板の背面及び前記拡散反射板の正面のうちの少なくとも一方に、前記導光板の背面の前記空気層を確保するための凹部が設けられていることを特徴とする計器。
【請求項４】
請求項１又は２に記載の導光板が、前記文字板と前記拡散反射板との間に、それぞれ前記文字板及び前記拡散反射板との間に空気層を介して配置された計器であって、
互いに対向する前記導光板の背面と前記拡散反射板の正面との間に、前記導光板の背面の前記空気層を確保するためのスペーサが挟まれていることを特徴とする計器。
【発明の詳細な説明】
【技術分野】
【０００１】
本発明は、自動車の計器等の文字板の背後に配置される導光板及び該導光板を備えた計器に関する。
【背景技術】
【０００２】
この種の導光板として、周方向の端面から入射された光源からの光を、文字板を背面から照らすように導く正面視円弧形状の導光板が知られている。特許文献１には、正面視円弧形状の導光板の背面に放射状溝を形成すると共に、背面又は正面に円弧状溝を形成した導光板が記載されている。
【０００３】
図１４（ａ）及び図１４（ｂ）を用いて、特許文献１に記載された従来の導光板の背面に形成された放射状溝の作用を説明する。
【０００４】
図１４（ａ）に示すように、導光板２１０の内部を、導光板２１０の正面２１０Ａ及び背面２１０Ｂで反射しながら進む光Ｌ２０１、Ｌ２０２のうち、放射状溝２１２の壁２１２ａに対する入射角の関係で、一部の光Ｌ２０１は、入射角が小さくなることで、放射状溝２１２の壁２１２ａを透過し、残りの一部の光Ｌ２０２は、入射角が大きくなることで、放射状溝２１２の壁２１２ａで反射される。
【０００５】
図１４（ｂ）に示すように、放射状溝２１２の壁２１２ａを透過した光Ｌ２０１は、導光板２１０の背後に配置された拡散反射板６で拡散反射され、導光板２１０を再び透過して、文字板２に向けて進行する。一方、放射状溝２１２の壁２１２ａで反射された光Ｌ２０２は、強い光のまま文字板２に向けて進行する。
【０００６】
この際、放射状溝２１２の壁２１２ａを透過した光Ｌ２０１は、拡散反射板６で拡散反射された上で、文字板２を広い範囲にわたり均一に照明するので、放射状溝２１２の壁２１２ａで直接反射された光Ｌ２０２よりも弱い。そのため、放射状溝２１２による輝度斑が発生する。
【先行技術文献】
【特許文献】
【０００７】
【特許文献１】特開２０１１−４０３６７号公報
【発明の概要】
【発明が解決しようとする課題】
【０００８】
上述のように、導光板２１０の背面に放射状溝２１２が形成されている場合、放射状溝２１２の壁２１２ａで直接反射される光が生じやすいため、放射状溝２１２による輝度斑が発生する可能性が高かった。
【０００９】
本発明は、上述した事情に鑑みてなされたものであり、その目的は、輝度斑をできるだけ解消して、均一な光で文字板を背後から照明することのできる導光板及び該導光板を備えた計器を提供することにある。
【課題を解決するための手段】
【００１０】
本発明の上記目的は、下記の構成により達成される。
（１）  正面の文字板と、該文字板の背面に配置された拡散反射板との間に、それぞれ前記文字板及び前記拡散反射板との間に空気層を介して配置され、周方向の端面から入射された光源からの光を、前記文字板を背面から照らすように導く正面視円弧形状の光透過性の導光板であって、
前記文字板に対面する正面に、前記円弧形状の周方向に沿って延在し且つ前記円弧形状の半径方向に間隔をおいて形成された多数の円弧状溝を有すると共に、前記拡散反射板に対面する背面に、前記円弧形状の半径方向に沿って放射状に延在し且つ前記円弧形状の周方向に間隔をおいて形成された多数の放射状凸条を有することを特徴とする導光板。
【００１１】
（２）  前記放射状凸条の形成された間隔が、前記光源からの光の入射される端面より遠くなるほど漸次小さくなるように設定されていることを特徴とする上記（１）に記載の導光板。
【００１２】
（３）  上記（１）又は（２）に記載の導光板が、前記文字板と前記拡散反射板との間に、それぞれ前記文字板及び前記拡散反射板との間に空気層を介して配置された計器であって、
互いに対向する前記導光板の背面及び前記拡散反射板の正面のうちの少なくとも一方に、前記導光板の背面の前記空気層を確保するための凹部が設けられていることを特徴とする計器。
【００１３】
（４）  上記（１）又は（２）に記載の導光板が、前記文字板と前記拡散反射板との間に、それぞれ前記文字板及び前記拡散反射板との間に空気層を介して配置された計器であって、
互いに対向する前記導光板の背面と前記拡散反射板の正面との間に、前記導光板の背面の前記空気層を確保するためのスペーサが挟まれていることを特徴とする計器。
【００１４】
上記（１）の構成の導光板によれば、表面に円弧状溝を形成すると共に、背面に放射状溝ではなく放射状凸条を形成したので、円弧形状に沿って多くの光を誘導することができ、放射状凸条の壁に入射する多くの光の入射角を小さくすることができて、できるだけ多くの光を、放射状凸条の壁を透過させて拡散反射板に向かわせることができる。つまり、放射状凸条の壁で直接反射される光を少なくすることができ、輝度斑をできるだけ解消して、均一な光で文字板を背後から照明することができる。
【００１５】
上記（２）の構成の導光板によれば、光源から遠くなるほど光の伝達量が減少するが、それを補うように光源から遠くなるほど放射状凸条の密度が増えるので、円弧形状の導光体の周方向における照明光量の分布の均一化を図ることができる。
【００１６】
上記（３）の構成の計器によれば、導光板及び拡散反射板の対向面の少なくとも一方に設けられた凹部により、導光板と拡散反射板との間に一定間隔の空気層を確保することができ、その空気層があることにより、拡散反射板での光の拡散反射範囲を広げることができる。従って、導光板を透過する光による文字板に対する照明範囲を広げることができて、輝度斑の改善に寄与することができる。
【００１７】
上記（４）の構成の計器によれば、導光板及び拡散反射板の間にスペーサが挟まれていることにより、導光板と拡散反射板との間に一定間隔の空気層を確保することができ、その空気層があることにより、拡散反射板での光の拡散反射範囲を広げることができる。従って、導光板を透過する光による文字板に対する照明範囲を広げることができて、輝度斑の改善に寄与することができる。
【発明の効果】
【００１８】
本発明によれば、輝度斑をできるだけ解消して、均一な光で文字板を背後から照明することができる。
【００１９】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００２０】
【図１】図１は本発明の実施形態の導光板を組み込んだ計器の正面図である。
【図２】図２は図１のＩＩ−ＩＩ矢視断面図である。
【図３】図３（ａ）及び図３（ｂ）は、図２に示した導光板の正面図及び背面図である。
【図４】図４は図３に示した導光板の一部を拡大して模式的に示す斜視図である。
【図５】図５は図３に示した導光板の正面の円弧状溝の作用説明図で、図５（ａ）は導光板の内部を進む光が円弧状溝に沿って進む様子を示す説明図、図５（ｂ）は図５（ａ）の光が導光板の背面の放射状凸条に入射する際の入射角の説明図、図５（ｃ）は図５（ｂ）の光が放射状凸条の壁を透過する様子を示す説明図である。
【図６】図６は図３に示した導光板の正面の円弧状溝が無い比較例の場合の作用説明図で、図６（ａ）は導光板の内部を進む光の経路を示す説明図、図６（ｂ）は図６（ａ）の光が導光板の背面の放射状凸条に入射する際の入射角の説明図、図６（ｃ）は図６（ｂ）の光の一部が放射状凸条の壁で反射される様子を示す説明図である。
【図７】図７は図５（ａ）の光の経路を実証するためのシミュレーション結果を示す図である。
【図８】図８は図３に示した導光板の背面の放射状凸条の作用説明図で、図８（ａ）は導光板の内部を進んだ光が放射状凸条の壁を透過する様子を示す図、図８（ｂ）は図８（ａ）の光が拡散反射板で拡散反射されて再び導光板を透過して文字板に向けて進む様子を示す図である。
【図９】図９（ａ）は導光板の背面に空気層が確保されている場合の光の拡散を示す概略説明図、図９（ｂ）は導光板の背面に空気層が確保されていない場合の光の拡散を示す概略説明図である。
【図１０】図１０（ａ）〜図１０（ｃ）は導光板の背面に空気層を確保するための構成例をそれぞれ示す概略断面図である。
【図１１】図１１（ａ）〜図１１（ｃ）は前記円弧状溝の断面形状のバリエーションを示す図である。
【図１２】図１２（ａ）〜図１２（ｃ）は前記放射状凸条の断面形状のバリエーションを示す図である。
【図１３】図１３は本発明の他の実施形態の導光板の構成図で、図１３（ａ）は正面側から見た斜視図、図１３（ｂ）は背面側から見た斜視図である。
【図１４】図１４は従来の導光板の背面に形成された放射状溝の作用説明図で、図１４（ａ）は導光板の内部を進んだ光のうち一部の光が放射状凸条の壁を透過し、他の一部の光が放射状凸条の壁で反射される様子を示す図、図１４（ｂ）は図１４（ａ）の透過光と反射光が文字板に向けて進む様子を示す図である。
【発明を実施するための形態】
【００２１】
以下、本発明の実施形態を図面を参照して説明する。
図１は実施形態の導光板を組み込んだ計器の正面図、図２は図１のＩＩ−ＩＩ矢視断面図、図３（ａ）及び図３（ｂ）は導光板の正面図及び背面図、図４は導光板の一部を拡大して模式的に示す斜視図である。
【００２２】
図１及び図２に示すように、この計器１は、自動車のインストルメントパネルに設けられる計器（表示装置ともいわれる）であり、ウォーニングや目盛などの意匠が設けられた文字板２と、文字板２の正面を回動するように設けられた指針３と、ケーシング４と、文字板２の背後に設けられた回路基板５と、文字板２の背後で回路基板５より前側に設けられた導光板１０と、導光板１０の背後で回路基板５より前側に設けられた拡散反射板６と、回路基板５上に搭載されたＬＥＤ等の導光板用光源８及びウォーニング用光源９と、文字板２の正面を覆う表ガラス７と、を備えている。
【００２３】
導光板１０は、文字板２と、文字板２の背後に設けられた拡散反射板６との間に設けられており、導光板１０の正面（表面）１０Ａは空気層Ｋを介して文字板２の背面に対面し、導光板１０の背面（裏面）１０Ｂは空気層Ｋを介して拡散反射板６の正面に対面している。拡散反射板６の正面は、前方に光を拡散反射できるように、例えば、白色系の平滑な平面として形成されている。拡散反射板６には、例えば、ケーシング４に一体に形成された壁面の一部が利用されている。
【００２４】
導光板１０は、アクリル樹脂などの光透過性材料により構成されており、正面１０Ａと背面１０Ｂとが互いに平行をなす平滑な平面として形成されている。また、導光板１０は、図３に示すように、文字板２に設けられた目盛に沿って正面視円弧形状に形成されており、外周面１４と内周面１５とが平滑な円弧面として構成されている。
【００２５】
また、導光板１０の周方向の両端は、回路基板５に向けて曲がっており、曲がった部分の端面が、導光板用光源８からの光の入射する入光端１８となっている。導光板１０は、入光端１８に入射される光源８からの光を誘導して、文字板２に設けた目盛を背後から照明する役目を担っている。
【００２６】
図３（ａ）及び図４に示すように、文字板２（図２参照）に対面する導光板１０の正面１０Ａには、導光板１０の円弧形状の周方向に沿って延在し且つ導光板１０の円弧形状の半径方向に一定間隔をおいて多数の円弧状溝１１が形成されている。また、図３（ｂ）及び図４に示すように、拡散反射板６（図２参照）に対面する背面１０Ｂには、導光板１０の円弧形状の半径方向に沿って放射状に延在し且つ導光板１０の円弧形状の周方向に間隔をおいて多数の放射状凸条１２が形成されている。図４に示すように、円弧状溝１１と放射状凸条１２は、距離を隔ててほぼ垂直に交差する関係にある。
【００２７】
導光板１０の正面１０Ａの円弧状溝１１は、図４に示すように、導光板１０の正面１０Ａに垂直な両側壁１１ａと、導光板１０の正面１０Ａに平行な底壁１１ｂとを有する断面四角形状に形成されている。また、導光板１０の背面１０Ｂの放射状凸条１２は、図４に示すように、導光板１０の背面１０Ｂに斜めに交差する傾斜した２つの側壁１２ａを有する断面三角形状に形成されている。また、図３（ｂ）に示すように、放射状凸条１２の配置される間隔が、入光端１８から遠くなるほど（矢印Ｘで示す方向に行くほど）漸次小さくなるように設定されており、それにより、放射状凸条１２は、入光端１８から遠くなるほど（周方向の中央部に行くほど）高密度に形成されている。
【００２８】
次に上記構成の導光板１０の作用を説明する。
図５は導光板の正面の円弧状溝の作用説明図、図６は導光板の正面の円弧状溝が無い比較例の場合の作用説明図である。なお、これらの図５及び図６においては、円弧状溝１１や放射状凸条１２を、代表として１つだけ図示してある。
【００２９】
まず、図６を用いて、導光板１０の正面１０Ａに円弧状溝１１〔図５（ａ）参照〕が無い場合の光の経路について説明する。図６（ａ）は導光板１０の内部を進む光Ｌ１１、Ｌ１２、Ｌ１３の経路を示す説明図、図６（ｂ）は図６（ａ）の光Ｌ１１、Ｌ１２、Ｌ１３が導光板１０の背面の放射状凸条１２に入射する際の入射角の説明図、図６（ｃ）は図６（ｂ）の光の一部が放射状凸条１２の側壁１２ａで反射される様子を示す説明図である。
【００３０】
図６（ａ）に示すように、導光板１０の内部に光源８から入射された光Ｌ１１、Ｌ１２、Ｌ１３のうち、外周面１４に近い位置を進む光Ｌ１１は、円弧状にカーブした外周面１４に対し、光の進行方向の手前側〔図６（ａ）の下側〕に近い位置で入射角θ１にて入射し反射される。また、外周面１４と内周面１５の中間位置を進む光Ｌ１２は、円弧状にカーブした外周面１４に対し、光Ｌ１１よりも遠い位置で入射角θ２にて入射し反射される。また、内周面１５に近い位置を進む光Ｌ１３は、円弧状にカーブした外周面１４に対し、光Ｌ１１、Ｌ１２よりも遠い位置で入射角θ１にて入射し反射される。
【００３１】
よって、内周面１５に近い位置を進む光Ｌ１２、Ｌ１３ほど、外周面１４に対する入射角が小さくなる（θ１＞θ２＞θ３）。これにより、外周面１４に近い位置を進む光Ｌ１１は、外周面１４で反射されて円弧形状にほぼ沿って導光板１０内を進むが、それより内周側を進む光Ｌ１２、Ｌ１３は、導光板１０の外周面１４で導光板１０の内周側に向かって小さな反射角で反射され、導光板１０の円弧形状に沿っては進みにくくなる。
【００３２】
このため、図６（ｂ）に示すように、光Ｌ１１は、放射状凸条１２に対してほぼ垂直な角度α１（小さな入射角に相当する）で入射するが、光Ｌ１２、Ｌ１３は、放射状凸条１２に対して垂直に近い角度で入射しなくなる（つまり、α２、α３は９０°から大きくはずれ、放射状凸条１２に対する入射角が大きくなる）。従って、放射状凸条１２に対し垂直に入射する光は、放射状凸条１２の側壁１２ａを透過するものの、図６（ｃ）に示すように、角度を持って入射する光Ｌ１２、Ｌ１３（入射角の大きい光）は、放射状凸条１２の側壁１２ａで、導光板１０内部に反射されてしまう。このように拡散反射板６に向けて透過せずに、直接放射状凸条１２の壁１２ａで反射された光Ｌ１２、Ｌ１３は、文字板２に向かって進行する場合は、輝度斑の発生に繋がりやすくなるし、文字板２に向かって進行しない場合は、照明効率の低下に繋がりやすくなるので、改善の必要性がある。
【００３３】
次に、図５を用いて、導光板１０の正面１０Ａに円弧状溝１１がある場合の光の経路について説明する。図５（ａ）は導光板１０の内部を進む光Ｌ１１、Ｌ１２、Ｌ１３の経路を示す説明図、図５（ｂ）は図５（ａ）の光Ｌ１１、Ｌ１２、Ｌ１３が導光板１０の背面の放射状凸条１２に入射する際の入射角の説明図、図５（ｃ）は図５（ｂ）の光の一部が放射状凸条１２の壁１２ａを透過する様子を示す説明図である。
【００３４】
図５（ａ）に示すように、導光板１０の内部に光源８から入射された光Ｌ１１、Ｌ１２、Ｌ１３のうち、外周面１４に近い位置を進む光Ｌ１１は、円弧状にカーブした外周面１４に対し、光の進行方向の手前側〔図５（ａ）の下側〕に近い位置で入射角θ１にて入射し反射される。また、外周面１４と内周面１５の中間位置を進む光Ｌ１２は、導光板１０の正面１０Ａに設けた円弧状溝１１の側壁１１ａに入射角θ２にて入射し反射される。また、内周面１５に近い位置を進む光Ｌ１３は、導光板１０の正面１０Ａに設けた円弧状溝１１の側壁１１ａに入射角θ３にて入射し反射される。
【００３５】
このように光Ｌ１２、Ｌ１３が、図６（ａ）の比較例のように導光板１０の外周面１４ではなく、円弧状溝１１で反射されることにより、光Ｌ１１の外周面１４に対する入射角θ１、光Ｌ１２の円弧状溝１１に対する入射角θ２、及び、光Ｌ１３の円弧状溝１１に対する入射角θ３をほぼ等しくすることができる（θ１≒θ２≒θ３）。よって、外周面１４や円弧状溝１１で反射された光Ｌ１１、Ｌ１２、Ｌ１３をほぼ平行にすることができ、光Ｌ１１、Ｌ１２、Ｌ１３の何れも、ほぼ円弧形状に沿って誘導することができるようになる。
【００３６】
上述したように円弧状溝１１を設けることにより、入光端１８から入射された光を円弧形状にほぼ沿って導けることは、図７に示すシミュレーション結果からも確認できた。
【００３７】
よって、図５（ｂ）に示すように、何れの光Ｌ１１、Ｌ１２、Ｌ１３も放射状凸条１２に対してほぼ垂直に入射させることができ（α１≒α２≒α３≒９０°）、図５（ｃ）に示すように、多くの光Ｌ１１、Ｌ１２、Ｌ１３を、放射状凸条１２の側壁１２ａを透過させて、拡散反射板６に入射させることができる。
【００３８】
図８は、導光板１０の背面１０Ｂの放射状凸条１２の作用説明図で、図８（ａ）は導光板１０の内部を進んだ光Ｌ１が放射状凸条１２の側壁１２ａを透過する様子を示す図、図８（ｂ）は図８（ａ）の光Ｌ１が拡散反射板６で拡散反射されて、再び導光板１０を透過して文字板２に向けて進む様子を示す図である。
【００３９】
この導光板１０では、導光板１０の背面１０Ｂに、従来のような放射状溝ではなく、放射状凸条１２を形成しているので、図８（ａ）に示すように、放射状凸条１２の側壁１２ａに入射する多くの光Ｌ１の入射角を小さくすることができて（垂直に近い角度で入射させることができて）、できるだけ多くの光を、放射状凸条１２の側壁１２ａを透過させて、拡散反射板６に向かわせることができる。つまり、放射状凸条１２の側壁１２ａで直接反射される光を少なくして、図８（ｂ）に示すように、拡散反射板６で拡散反射する光を多くすることができるので、輝度斑をできるだけ解消して、均一な光Ｌ１で文字板２を背後から照明することができる。
【００４０】
また、この導光板１０では、光源８から遠くなるほど光の伝達量が減少するが、それを補うように光源８から遠くなるほど放射状凸条１２の密度を増やすようにしているので、円弧形状の導光板１０の周方向における照明光量の分布の均一化を図ることができる。
【００４１】
また、この導光板１０を使用した計器１では、導光板１０の背面１０Ｂに放射状凸条１２が設けられている関係から、導光板１０と拡散反射板６との間に空気層Ｋを確保しているので、拡散反射板６での光の拡散反射範囲を広げることができる。この点について、図９を用いて説明する。図９（ａ）は導光板の背面に空気層が確保されている場合の光の拡散を示す概略説明図、図９（ｂ）は導光板の背面に空気層が確保されていない場合の光の拡散を示す概略説明図である。
【００４２】
図９（ｂ）に示すように、導光板１０と拡散反射板６との間に空気層が確保されていない場合は、拡散反射板６での光の拡散反射範囲が狭くなる。従って、導光板１０を透過する光による文字板に対する照明範囲Ｈ２が狭くなる傾向がある。これに対し、図９（ａ）に示すように、導光板１０と拡散反射板６との間に空気層Ｋが確保されている場合は、拡散反射板６での光の拡散反射範囲を広げることができる。従って、導光板１０を透過する光による文字板に対する照明範囲Ｈ１を広げることができて、輝度斑の改善に寄与することができる。
【００４３】
次に、導光板１０の背面１０Ｂ側に空気層Ｋを確保するための構成例について、図１０（ａ）〜図１０（ｃ）を用いて説明する。
【００４４】
図１０（ａ）の例では、導光板１０の背面１０Ｂに凹部２５を形成し、この凹部２５により、導光板１０の背面１０Ｂと拡散反射板６の正面との間に空気層Ｋを確保している。この場合の導光板１０の背面１０Ｂの放射状凸条１２（図８参照）は、凹部２５の内底面に形成されている。
【００４５】
図１０（ｂ）の例では、ケーシング４の一部の壁で構成された拡散反射板６の正面に凹部２５を形成し、この凹部２５により、導光板１０の背面１０Ｂと拡散反射板６の正面との間に空気層Ｋを確保している。この場合の導光板１０の背面１０Ｂの放射状凸条１２（図８参照）は、少なくとも凹部２５の形成されている範囲に形成されている。
【００４６】
図１０（ａ）及び図１０（ｂ）の例では、互いに対向する導光板１０の背面１０Ｂ及び拡散反射板６の正面のうちの何れか一方に凹部２５を形成していたが、導光板１０の背面１０Ｂ及び拡散反射板６の正面の両方に凹部を形成して空気層Ｋを確保してもよい。
【００４７】
また、図１０（ｃ）の例では、導光板１０の背面１０Ｂと拡散反射板６の正面との間にスペーサ２６を挟むことにより、導光板１０の背面１０Ｂと拡散反射板６の正面との間に空気層Ｋを確保している。
【００４８】
これら図１０（ａ）〜図１０（ｃ）に示す構成例のように、導光板１０や拡散反射板６に凹部２５を設けたり、導光板１０と拡散反射板６の間にスペーサ２６を挟んだりすることにより、導光板１０と拡散反射板６との間に一定間隔の空気層Ｋを確保することができる。そして、その空気層Ｋがあることにより、拡散反射板６での光の拡散反射範囲を広げることができ、それにより、導光板１０を透過する光による文字板２に対する照明範囲を広げることができて、輝度斑の改善に寄与することができるようになる。
【００４９】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００５０】
図１１（ａ）〜図１１（ｃ）は前記円弧状溝の断面形状のバリエーションを示す図である。
【００５１】
上記実施形態の導光板１０では、図１１（ａ）に示すように、導光板１０の正面１０Ａに断面四角形状の円弧状溝１１を形成した場合を示したが、図１１（ｂ）に示すように、断面三角形状の円弧状溝１１Ｂを形成してもよいし、図１１（ｃ）に示すように、断面半円状又は断面半楕円状の円弧状溝１１Ｃを形成してもよい。
【００５２】
図１２（ａ）〜図１２（ｃ）は前記放射状凸条の断面形状のバリエーションを示す図である。
【００５３】
上記実施形態の導光板１０では、図１２（ａ）に示すように、導光板１０の背面１０Ｂに断面三角形状の放射状凸条１２を形成した場合を示したが、図１２（ｂ）に示すように、断面台形状の放射状凸条１２Ｂを形成してもよいし、図１２（ｃ）に示すように、断面半円状又は断面半楕円状の放射状凸条１２Ｃを形成してもよい。
【００５４】
また、上記実施形態では、周方向の両端に入光端１８がある導光板１０について示したが、本発明は、周方向の片端だけに入光端がある導光板についても適用することができる。図１３は、片端だけに入光端がある他の実施形態の導光板の構成図で、図１３（ａ）は正面側から見た斜視図、図１３（ｂ）は背面側から見た斜視図である。
【００５５】
図１３（ａ）に示すように、この導光板１１０は、正面視円弧形状をなしており、正面１０Ａに円弧状溝１１が設けられると共に、図１３（ｂ）に示すように、背面１０Ｂに放射状凸条１２が設けられている。そして、この場合は、周方向の片端だけに入光端１８が設けられている関係で、放射状凸条１２の配置される間隔が、入光端１８から遠くなるほど（矢印Ｘで示す方向に行くほど）漸次小さくなるように設定されており、それにより、放射状凸条１２は、入光端１８から遠くなるほど（入光端１８から遠い端部に近くなるほど）高密度に形成されている。
【００５６】
ここで、上述した本発明に係る導光板及び計器の実施形態の特徴をそれぞれ以下［１］〜［４］に簡潔に纏めて列記する。
【００５７】
［１］  正面の文字板（２）と、該文字板（２）の背面に配置された拡散反射板（６）との間に、それぞれ前記文字板（２）及び前記拡散反射板（６）との間に空気層（Ｋ）を介して配置され、周方向の端面（１８）から入射された光源（８）からの光を、前記文字板（２）を背面から照らすように導く正面視円弧形状の光透過性の導光板（１０、１１０）であって、
前記文字板（２）に対面する正面（１０Ａ）に、前記円弧形状の周方向に沿って延在し且つ前記円弧形状の半径方向に間隔をおいて形成された多数の円弧状溝（１１）を有すると共に、前記拡散反射板（６）に対面する背面（１０Ｂ）に、前記円弧形状の半径方向に沿って放射状に延在し且つ前記円弧形状の周方向に間隔をおいて形成された多数の放射状凸条（１２）を有することを特徴とする導光板（１０、１１０）。
【００５８】
［２］  前記放射状凸条（１２）の形成された間隔が、前記光源（８）からの光の入射される端面（１８）より遠くなるほど漸次小さくなるように設定されていることを特徴とする請求項１に記載の導光板（１０、１１０）。
【００５９】
［３］  上記［１］又は［２］に記載の導光板（１０、１１０）が、前記文字板（２）と前記拡散反射板（６）との間に、それぞれ前記文字板（２）及び前記拡散反射板（６）との間に空気層（Ｋ）を介して配置された計器（１）であって、
互いに対向する前記導光板（１０、１１０）の背面（１０Ｂ）及び前記拡散反射板（６）の正面のうちの少なくとも一方に、前記導光板（１０、１１０）の背面（１０Ｂ）の前記空気層（Ｋ）を確保するための凹部（２５）が設けられていることを特徴とする計器（１）。
【００６０】
［４］  上記［１］又は［２］に記載の導光板（１０、１１０）が、前記文字板（２）と前記拡散反射板（６）との間に、それぞれ前記文字板（２）及び前記拡散反射板（６）との間に空気層（Ｋ）を介して配置された計器（１）であって、
互いに対向する前記導光板（１０、１１０）の背面（１０Ｂ）と前記拡散反射板（６）の正面との間に、前記導光板（１０、１１０）の背面（１０Ｂ）の前記空気層（Ｋ）を確保するためのスペーサ（２６）が挟まれていることを特徴とする計器（１）。
【符号の説明】
【００６１】
２  文字板
６  拡散反射板
８  ＬＥＤ（光源）
１０  導光板
１０Ａ  正面
１０Ｂ  背面
１１  円弧状溝
１２  放射状凸条
１８  入光端（光の入射される周方向の端面）
２５  凹部
２６  スペーサ
１１０  導光板
Ｋ  空気層
【図１】
2014238975.tif 000003
【図２】
2014238975.tif 000004
【図３】
2014238975.tif 000005
【図４】
2014238975.tif 000006
【図５】
2014238975.tif 000007
【図６】
2014238975.tif 000008
【図７】
2014238975.tif 000009
【図８】
2014238975.tif 000010
【図９】
2014238975.tif 000011
【図１０】
2014238975.tif 000012
【図１１】
2014238975.tif 000013
【図１２】
2014238975.tif 000014
【図１３】
2014238975.tif 000015
【図１４】
2014238975.tif 000016